(57)【要約】      （修正有）【課題】片手での押し圧作動で充填物が押し出され、片手で楽にメークアップできる化粧品構造を提供する。【解決手段】外管１０と制御部材２０、作動部材３０、プッシュバー４０及び拭き取り部材５０が備えられ、外管は作動槽１１と収納槽１３が設けられ、制御部材はスリーブ２１とボタン柱２２からなり、スリーブの一側にボタン孔２１１が貫設され、また、若干の案内面を有するベベリング柱２１２と退避槽２１３がリング状に設けられ、ボタン柱の開口に第一リング状歯部２２２が設けられ、第一リング状歯部の上方に突出が設置され、作動部材は回動管３１と弾性素子３２及び嵌設座３３からなり、回動管に高低抵当面を有する第二リング状歯部３１１が設けられ、回動管の内壁に枢着口３１３が設けられ、嵌設座の底部にねじ孔が形成され、プッシュバーの棒体に枢着口に類似する雄ねじ段があり、ユーザが押し圧方式で充填物を出力させることができる。【選択図】図１
0003148725.tif 000002
【実用新案登録請求の範囲】
【請求項１】
一側に作動槽が設けられ、下へ延伸する収納槽があり、底端に蓋体と係合する拭き取り部材が組立てられる外管と、
スリーブとボタン柱からなり、スリーブが作動槽に組立てられ、内部にボタン孔が貫設され、間を置いて若干のベベリング柱と退避槽がリング状に設けられ、ベベリング柱の一端にベベリング状の案内面が形成され、ボタン柱がスリーブに収納され、また、開口にジグザグ状の第一リング状歯部が形成され、第一リング状歯部の上方において、対応する位置に突出が設置される制御部材と、
回動管と弾性素子及び嵌設座からなり、回動管の外部に第一リング状歯部に類似する第二リング状歯部が形成されることにより、若干の落差を有する歯部段が形成され、回動管の下方の開口端にある内壁に枢着口が形成され、嵌設座がスリーブの下端の内部に嵌設され、底部にねじ孔が形成される作動部材と、
棒体に雄ねじ段が設けられ、回動管の内部に設置されて、枢着口と互いに干渉し、棒体の下方が封止リングを有する弾性ストッパーに組立てられるプッシュバーと、が含有される、ことを特徴とする化粧品構造。
【請求項２】
外管の適当な位置に口径が小さい抵当面が設けられることを特徴とする請求項１に記載の化粧品構造。
【請求項３】
外管の底端の外側に、蓋体の内側に設けられた若干のリング状凹槽に係合するための若干のリング状突出が設けられることを特徴とする請求項１に記載の化粧品構造。
【請求項４】
外管の底端の外側に、蓋体の内側に設けられた若干のリング状凹槽に係合するための若干リング状突出が設けられることを特徴とする請求項１に記載の化粧品構造。
【請求項５】
スリーブの開口の辺縁に、嵌設座の外側に設けられた若干の嵌合ブロックに対応する若干の欠け口状の嵌合槽が設けられることを特徴とする請求項１に記載の化粧品構造。
【請求項６】
ボタン柱の一側が、閉鎖面であることを特徴とする請求項１に記載の化粧品構造。
【請求項７】
回動管の第二リング状歯部の下方に、抵当突出が設けられることを特徴とする請求項１に記載の化粧品構造。
【請求項８】
回動管の枢着口とプッシュバーの棒体の両側が、平面状であることを特徴とする請求項１に記載の化粧品構造。
【請求項９】
棒体の下方に弾性ストッパーの内部にある係止溝と係合する、口径が比較的に大きな行き止め面と、比較的に小径かつ若干の係止リングとを有する嵌接段が設けられ、これにより、棒体とストッパー座とが結合され、ストッパー座の内部にある押し面に嵌接段が抵当し、また、ストッパー座の外部に封止リングが嵌設されるための若干のリング状槽が設けられることを特徴とする請求項１に記載の化粧品構造。
【請求項１０】
拭き取り部材が導流部品と塗り付け部品及びふたからなり、導流部品において、外部に外管の一側の内部に設けれた若干のリング状溝と係合する若干の凹溝が設けられ、下端に比較的に小径である導管が設けられ、上面に導管と連通する槽部が設けられ、塗り付け部品がブラッシやブラッシ体であり、その内部に導管が貫設される貫通孔が形成され、ふたの一側の内壁に導流部品の凹溝とふたの係止リブとが係合されるために、係止リブが形成されて、下方に嵌合リングが形成されることを特徴とする請求項１に記載の化粧品構造。
【請求項１１】
外管の一側の内部に、スリーブの一側の外部に設けられた若干の係止リングと係合するために、若干のリング状溝が形成される。ことを特徴とする請求項１に記載の化粧品構造。
【考案の詳細な説明】
【技術分野】
【０００１】
本考案は、化粧品構造に関し、特に、外管の内部に、それぞれ、充填物と制御部材及び作動部材を収納するための収納槽と作動槽が設けられ、作動槽に樞着される第一リング状歯部と第二リング状歯部及びスリーブのベベリング柱が設けられるものに関する。
【背景技術】
【０００２】
一般の既存の化粧品は、回転により、充填物がふたの方向から押し出され、そのため、充填物を出すため、両手でその本体を回すことが必要であり、ユーザが、車を運転する場合や手で荷物を持つ場合、片手で、メークアップできなくて、不便であり、また、回転により押し出するため、強く回転する場合や回転回数が多すぎると、充填物が、瞬間に大量に押し出されて無駄になり、また、回転回数が少なすぎると、充填物の色染め分布が均一にならず、充填物の色対比効果が低減される。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、スリーブが、突出と退避槽により定位され、第二リング状歯部の歯部段が、スリーブの案内面に抵当することにより、第一リング状歯部と第二リング状歯部との間に、適当な空間が形成され、圧力を受けると、第一リング状歯部が、第二リング状歯部の高抵当面に抵当してから低抵当面へすべり、第二リング状歯部が、同一方向へ回動し、そのため、ボタン柱を押すだけで、作動部材が連動されて回転され、プッシュバーが、ストッパー座を回転させるように押し、片手での押し圧作動で、充填物が押し出され、片手でも、楽にメークアップできる化粧品構造を提供する。
【０００５】
本考案の他の目的は、第一リング状歯部と第二リング状歯部の高低抵当面を利用して、押し圧作動が、高抵当面から低抵当面まで滑る距離を、プッシュバー回動の隙間とすることにより、充填物が押し出された時の容量を、所定の量且つ均一にする効果が得られ、また、ユーザが、目で拭き取り部材の方式を利用して容量を決めることなく、押し圧回数で、押し出す容量を決めることができ、充填物が余計に押し出されることや不均一のことを解消でき、最適の使用状態が得られる化粧品構造を提供する。
【課題を解決するための手段】
【０００６】
請求項１の考案は、一側に作動槽が設けられ、下へ延伸する収納槽があり、底端に蓋体と係合する拭き取り部材が組立てられる外管と、スリーブとボタン柱からなり、スリーブが作動槽に組立てられ、内部にボタン孔が貫設され、間を置いて若干のベベリング柱と退避槽がリング状に設けられ、ベベリング柱の一端にベベリング状の案内面が形成され、ボタン柱がスリーブに収納され、また、開口にジグザグ状の第一リング状歯部が形成され、第一リング状歯部の上方において、対応する位置に突出が設置される制御部材と、回動管と弾性素子及び嵌設座からなり、回動管の外部に第一リング状歯部に類似する第二リング状歯部が形成されることにより、若干の落差を有する歯部段が形成され、回動管の下方の開口端にある内壁に枢着口が形成され、嵌設座がスリーブの下端の内部に嵌設され、底部にねじ孔が形成される作動部材と、棒体に雄ねじ段が設けられ、回動管の内部に設置されて、枢着口と互いに干渉し、棒体の下方が封止リングを有する弾性ストッパーに組立てられるプッシュバーと、が含有されることを特徴とする化粧品構造である。
【０００７】
請求項２の考案は、外管の適当な位置に口径が小さい抵当面が設けられることを特徴とする請求項１に記載の化粧品構造である。
【０００８】
請求項３の考案は、外管の底端の外側に、蓋体の内側に設けられた若干のリング状凹槽に係合するための若干のリング状突出が設けられることを特徴とする請求項１に記載の化粧品構造である。
【０００９】
請求項４の考案は、外管の底端の外側に、蓋体の内側に設けられた若干のリング状凹槽に係合するための若干リング状突出が設けられることを特徴とする請求項１に記載の化粧品構造である。
【００１０】
請求項５の考案は、スリーブの開口の辺縁に、嵌設座の外側に設けられた若干の嵌合ブロックに対応する若干の欠け口状の嵌合槽が設けられることを特徴とする請求項１に記載の化粧品構造である。
【００１１】
請求項６の考案は、ボタン柱の一側が、閉鎖面であることを特徴とする請求項１に記載の化粧品構造である。
【００１２】
請求項７の考案は、回動管の第二リング状歯部の下方に、抵当突出が設けられることを特徴とする請求項１に記載の化粧品構造である。
【００１３】
請求項８の考案は、回動管の枢着口とプッシュバーの棒体の両側が、平面状であることを特徴とする請求項１に記載の化粧品構造である。
【００１４】
請求項９の考案は、棒体の下方に、弾性ストッパーの内部にある係止溝と係合する、口径が比較的に大きな行き止め面と、比較的に小径かつ若干の係止リングとを有する嵌接段が設けられ、これにより、棒体とストッパー座とが結合され、ストッパー座の内部にある押し面に嵌接段が抵当し、また、ストッパー座の外部に封止リングが嵌設されるための若干のリング状槽が設けられることを特徴とする請求項１に記載の化粧品構造である。
【００１５】
請求項１０の考案は、拭き取り部材が導流部品と塗り付け部品及びふたからなり、導流部品において、外部に外管の一側の内部に設けられた若干のリング状溝と係合する若干の凹溝が設けられ、下端に、比較的に小径である導管が設けられ、上面に導管と連通する槽部が設けられ、塗り付け部品がブラッシやブラッシ体であり、その内部に導管が貫設される貫通孔が形成され、ふたの一側の内壁に導流部品の凹溝とふたの係止リブとが係合されるために、係止リブが形成されて、下方に嵌合リングが形成されることを特徴とする請求項１に記載の化粧品構造である。
【００１６】
請求項１１の考案は、外管の一側の内部に、スリーブの一側の外部に設けられた若干の係止リングと係合するために、若干のリング状溝が形成される。ことを特徴とする請求項１に記載の化粧品構造である。
【００１７】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１８】
図１を参照しながら、本考案は、外管１０と制御部材２０、作動部材３０、プッシュバー４０及び拭き取り部材５０からなり、外管１０は、一側に、作動槽１１が設けられ、適当な位置に、比較的に小径である抵当面１２が形成され、また、下へ収納槽１３が伸び、また、両側の内部に、それぞれ、若干のリング状溝１４が形成され、底端の外側に、内側に若干のリング状凹槽１６が設けられた蓋体１７に係合するための若干のリング状突出１５が設けられ、制御部材２０は、図２のように、スリーブ２１とボタン柱２２からなり、スリーブ２１の一側の外部に、若干の係止リング  ２１’が設けられ、内部に、ボタン孔２１１が貫設され、また、間隔的に若干のベベリング柱２１２と退避槽２１３がリング状に設けられ、ベベリング柱２１２の一端に、ベベリング状の案内面２１２１が設けられ、もう一側の開口辺縁に、若干の欠け口状の嵌合槽２１４が設けられ、嵌合槽２１４とベベリング柱２１２との間に、回動空間２１５が形成され、ボタン柱２２の開口に、ジグザグ状の第一リング状歯部２２２が設けられ、第一リング状歯部２２２の上方の相対位置に、突出２２１が設置され、もう一側が、閉鎖面２２３に形成され、作動部材３０は、回動管３１と弾性素子３２及び嵌設座３３からなり、回動管３１の外部の中段に、第一リング状歯部２２２に類似する第二リング状歯部３１１が設けられて、若干の高低抵当面３１１１１、３１１１２の歯部段３１１１が形成され、また、第二リング状歯部３１１の下方に、抵当突出が設けられ、回動管３１の下方にある開口端の内壁に、両側が平面状である枢着口３１３が設けられ、嵌設座３３の底部に、ねじ孔３３１が形成され、外側に、スリーブ２１の嵌合槽２１４に対応する若干の嵌合ブロック３３２が設けられ、プッシュバー４０は、棒体４１が、雄ねじ段４２で、両側が、平面であり、枢着口３１３に類似する柱体であり、棒体４１の下方に、比較的に大きい口径である行き止め面４３と比較的に小径である嵌接段４４が設けられ、嵌接段４４の周りに、弾性ストッパー４５の内部に設けられた係止溝４５１に係合する若干の係止リング４４１が設けられ、棒体４１とストッパー座４５が結合され、ストッパー座４５の内部に、嵌接段４４が抵当するための押し面４５２が形成され、ストッパー座４５の外部に、封止リング４５４が嵌設さえるための若干のリング状槽４５３が設けられ、拭き取り部材５０は、導流部品５１と塗り付け部品５２及びふた５３からなり、導流部品５１の外部に、若干の凹溝５１１が設けられ、下端に、比較的に小径である導管５１２が設けられ、上面に、導管５１２に連通する槽部５１３が設けられ、塗り付け部品５２に、ブラッシやブラッシ体が実装され、内部に導管５１２が貫設されるための貫通孔５２１が形成され、ふた５３の一側の内壁に、係止リブ５３１が形成され、下方に、嵌合リング５３２が形成され、導流部品５１の凹溝５１１が、ふた５３の係止リブ５３１に係合する。
【００１９】
組立てる時（図３乃至図５のように）、まず、制御部材２０のボタン柱２２を、下から上へスリーブ２１のボタン孔２１１から突出２２１まで入れ込んで、退避槽２１３に係止し、閉鎖面２２３が、ボタン孔２１１の上方から突出し、また、回動管３１と弾性素子３２を嵌合してから、スリーブ２１内に設置し、プッシュバー４０とストッパー座４５とが結合された後、行き止め面４３に抵当するまで、嵌設座３３のねじ孔３３１に沿って螺入し、そして、嵌設座３３の嵌合ブロック３３２がスリーブ２１の嵌合槽２１４に緊密に係合するまで、プッシュバー４０を、弾性素子３２に沿って、回動管３１の枢着口３１３とボタン柱２２の内部に設置し、最後に、組立てられて一体になった制御部材２０と作動部材３０及びプッシュバー４０を、外管１０の作動槽１１内に設置し、ストッパー座４５の封止リング４５４と若干のリング状槽４５３が、緊密に作動槽１１の内壁に貼り付いて漏れ防止効果が強化され、また、リング状溝１４と係止リング２１’とが係合されて閉鎖状態になるため、充填物が外管１０のもう一端から収納槽１３に注入されるが、封止リング４５４の閉鎖により、作動槽１１内に侵入することなく、また、拭き取り部材５０と蓋体１７は、蓋体１７のリング状凹槽１６と外管１０のリング状突出１５とが係止されることにより、組立てられて、本考案は、構成される。
【００２０】
使用する場合（図６、７のように）、ボタン柱２２を押すだけで、第二リング状歯部３１１の歯部段３１１１が、ベベリング柱２１２の案内面２１２１から脱離し、第一リング状歯部２２２が、第二リング状歯部３１１の歯部段３１１１の高抵当面３１１１１に沿って、低抵当面３１１１２まで滑り、適当な隙間が形成され（図８のように）、同時に、プッシュバー４０の雄ねじ段４２が、回動管３１の螺旋とともに、枢着口３１３とねじ孔３３１に沿って、直線に、ストッパー座４５を、下へ、適当に押して変位させ、これにより、収納槽１３の内部に収納された充填物が、導流部品５１の導管５１２から、塗り付け部品５２に押し出され、最後に、弾性素子３２の回復により、歯部段３１１１が、案内面２１２１に沿って連動されて上へ弾み上げられ、そのため、片手で外管１０を持って、直接に、塗り付けるおとができ、有効に、一般の回転式化粧品のように、両手で瓶体を回動して、押し圧回数で、充填物の放出容量を制御することは必要しなくて、回転が多すぎることを心配することなく、より便利的である。
【００２１】
本考案は、より進歩的かつより実用的で、法に従って実用新案登録請求を出願する。
【００２２】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２３】
【図１】本考案の立体分解図
【図２】本考案の局部立体分解図
【図３】本考案の局部組立て断面図
【図４】本考案の組立て断面図
【図５】本考案の立体組立て図
【図６】本考案の押し圧によりプッシュバーが回転される時の作動概念図
【図７】本考案の第一リング状歯部と第二リング状歯部が、ながいリブに抵当する時の概念図
【図８】本考案の押し圧により回動管が回動される時の作動概念図
【符号の説明】
【００２４】
１０        外管
１１        作動槽
１２        抵当面
１３        収納槽
１４        リング状溝
１５        リング状突出
１６        リング状凹槽
１７        蓋体
２０        制御部材
２１        スリーブ
２１’      係止リング
２１１      ボタン孔
２１２      ベベリング柱
２１２１    案内面
２１３      退避槽
２１４      嵌合槽
２１５      回動空間
２２        ボタン柱
２２１      突出
２２２      第一リング状歯部
２２３      閉鎖面
３０        作動部材
３１        回動管
３１１      第二リング状歯部
３１１１    歯部段
３１１１１  高抵当面
３１１１２  低抵当面
３１２      抵当突出
３１３      枢着口
３２        弾性素子
３３        嵌設座
３３１      ねじ孔
３３２      嵌合ブロック
４０        プッシュバー
４１        棒体
４２        雄ねじ段
４３        行き止め面
４４        嵌接段
４４１      係止リング
４５        ストッパー座
４５１      係止溝
４５２      押し面
４５３      リング状槽
４５４      封止リング
５０        拭き取り部材
５１        導流部品
５１１      凹溝
５１２      導管
５１３      槽部
５２        塗り付け部品
５２１      貫通孔
５３        ふた
５３１      係止リブ
５３２      嵌合リング
【図１】
0003148725.tif 000003
【図２】
0003148725.tif 000004
【図３】
0003148725.tif 000005
【図４】
0003148725.tif 000006
【図５】
0003148725.tif 000007
【図６】
0003148725.tif 000008
【図７】
0003148725.tif 000009
【図８】
0003148725.tif 000010